(57)【要約】【課題】フレーム毎に適切なプリアンブルタイプを設定する。【解決手段】受信したロングプリアンブルを用いた第１フレームの受信パラメータを算出するとともに、受信した第１フレーム以降のフレーム毎の前記受信パラメータを算出する送受信部と、前記フレームを受信するたびに、受信した前記フレームの前記受信パラメータと、前記第１フレームで算出した前記受信パラメータとの差分が所定の許容値内であるかを判定し、前記所定の許容値内である場合には、受信した前記フレームに対してショートプリアンブルを用いる判定結果を出力し、前記所定の許容値を超えている場合には、受信した前記フレームに対してロングプリアンブルを用いる判定結果を出力するプリアンブルタイプ判定部と、受信動作時には、前記判定結果を送信側の無線通信装置に通知し、送信動作時には、受信側の無線通信装置から通知された前記判定結果で指定されたプリアンブルタイプに従い、前記フレームの送信を行うように制御する制御部と、を備える。【選択図】図４
2014179960.tif 000002
【特許請求の範囲】
【請求項１】
バースト通信においてフレームの送受信を行う無線通信装置であって、
受信した第１フレームの受信信号レベル、及び周波数オフセット推定値の少なくとも一方を含む受信パラメータを算出するとともに、受信した第１フレーム以降のフレーム毎の前記受信パラメータを算出する送受信部と、
前記フレームを受信するたびに、受信した前記フレームの前記受信パラメータと、前記第１フレームで算出した前記受信パラメータとの差分が所定の許容値内であるかを判定し、前記許容値内である場合には、受信した前記フレームに対してショートプリアンブルを用いる判定結果を出力し、前記許容値を超えている場合には、受信した前記フレームに対してロングプリアンブルを用いる判定結果を出力する判定部と、
受信動作時には、送信側の前記無線通信装置に対して前記判定結果を通知し、送信動作時には、受信側の無線通信装置から通知された前記判定結果で指定されたプリアンブルタイプに従い、前記フレームの送信を行うように制御する制御部と、
を備えることを特徴とする無線通信装置。
【請求項２】
前記判定部は、前記判定結果として前記フレームのフレーム番号、及び前記フレームで使用すべきプリアンブルタイプ情報を出力する
ことを特徴とする請求項１に記載の無線通信装置。
【請求項３】
バースト通信において受信する前記第１のフレームはロングプリアンブルである
ことを特徴とする請求項１に記載の無線通信装置。
【請求項４】
第１無線通信装置と、第２無線通信装置との間で無線通信を行う無線通信システムであって、
前記第１無線通信装置は、
バースト通信においてフレームの受信を行い、受信した第１フレームの受信信号レベル、及び周波数オフセット推定値の少なくとも一方を含む受信パラメータを算出するとともに、受信した第１フレーム以降のフレーム毎の前記受信パラメータを算出する第１送受信部と、
前記フレームを受信するたびに、受信した前記フレームの前記受信パラメータと、前記第１フレームで算出した前記受信パラメータとの差分が所定の許容値内であるかを判定し、前記所定の許容値内である場合には、受信した前記フレームに対してショートプリアンブルを用いる判定結果を出力し、前記所定の許容値を超えている場合には、受信した前記フレームに対してロングプリアンブルを用いる判定結果を出力する判定部と、
前記判定結果を送信側の無線通信装置に通知する第１制御部を備え、
前記第２無線通信装置は、
送信動作時に、受信側の無線通信装置から通知された前記判定結果で指定されたプリアンブルタイプに従い、前記フレームの送信を行うように制御する第２制御部と、
を備えることを特徴とする無線通信システム。
【請求項５】
第１無線通信装置と、第２無線通信装置との間における通信制御方法であって、
受信した第１フレームの受信信号レベル、及び周波数オフセット推定値の少なくとも一方を含む受信パラメータを算出する第１算出ステップと、
受信した第１フレーム以降のフレーム毎の前記受信パラメータを算出する第２算出ステップと、
前記フレームを受信するたびに、受信した前記フレームの前記受信パラメータと、前記第１フレームで算出した前記受信パラメータとの差分が所定の許容値内であるかを判定し、前記所定の許容値内である場合には、受信した前記フレームに対してショートプリアンブルを用いる判定結果を出力し、前記所定の許容値を超えている場合には、受信した前記フレームに対してロングプリアンブルを用いる判定結果を出力する判定ステップと、
前記判定結果を送信側の無線通信装置に通知する通知ステップと、
受信側の無線通信装置から通知された前記判定結果で指定されたプリアンブルタイプ情報に従い、前記フレームの送信を行うように制御する制御ステップと、
を含むことを特徴とする通信制御方法。
【発明の詳細な説明】
【技術分野】
【０００１】
本発明は、無線通信装置、通信制御方法、無線通信システムに関する。
【背景技術】
【０００２】
無線通信は有線通信に比べ通信環境の影響を受けやすく、大容量データを安定して効率よく高速で送受信するために様々な技術を必要とする。例えば、一般的に高速のデータレートほどスループットは高くなるがノイズに対する耐性が低くなる。また、低速のデータレートほどスループットは低くなるがノイズに対する耐性が高くなる傾向がある。そのため、複数のデータレートを使用可能とし、パケット誤り発生率やＳＮＲ（signal-noise  ratio）などの受信信号品質に応じて最適なデータレートなどの変調方式を選択するリンクアダプテーションという無線通信制御方法がある。
【０００３】
また、オーバーヘッド削減によるスループット向上の策としてバースト通信があり、無線通信システムでも用いられている。同じ通信相手に対するフレーム送信において、連続フレーム送信を行い、その際通常よりも短いフレーム間隔を用いて行うことで、オーバーヘッドの削減を図っている。また、ショートプリアンブルを用いることでもオーバーヘッドの削減を図っている。ただし、この場合、ロングプリアンブルで行うＡＧＣ（Automatic  Gain  Control）や周波数オフセット推定などの同期処理の一部を省略することになるため状況によっては適切な状態でのヘッダーおよびペイロード部の受信処理が行えないという弊害が伴う。
【０００４】
例えば、ＷｉＭｅｄｉａ規格では、通信相手に1フレームのみを送信するＳｉｎｇｌｅフレームモードと同じ通信相手にバースト通信を行うバーストモードがあり、バーストモードではＳｉｎｇｌｅフレームモードよりも短いフレーム間隔やショートプリアンブルを用いてフレームを連続送信することが可能である。ただし、バースト転送の最初のフレームはＳｉｎｇｌｅフレームモードと同じロングプリアンブルを用い、２フレーム目以降はショートプリアンブルとロングプリアンブルのどちらかを選択可能となっている。
【０００５】
上記のような技術の一例として、例えば特許文献１が開示されている。特許文献１にあっては、ロングプリアンブルを用いる１フレーム目を除く２フレーム目以降のフレームに対してショートプリアンブルとロングプリアンブルの選択が可能なバースト通信においてプリアンブルタイプを適切に選ぶことを目的としている。そして、連続送信したフレームの受信が完了した際に受信フレーム毎の受信パラメータの変動が許容値内であれば２フレーム目以降はショートプリアンブルを用いる通信方法が適切と判定する。一方、受信パラメータの変動が許容値を超えている場合は２フレーム目以降はロングプリアンブルを用いる通信方法が適切と判定し、判定結果に基づいた制御を行う。
【発明の概要】
【発明が解決しようとする課題】
【０００６】
上記従来の無線通信制御方法では、受信信号品質に応じて最適なデータレートなどの変調方式を選択することは可能である。しかしながら、ロングプリアンブルを用いる１フレーム目を除く２フレーム目以降のフレームでショートプリアンブルとロングプリアンブルの選択が可能なバースト通信においてプリアンブルタイプを適切に選ぶことができないという問題があった。
【０００７】
本発明は、上記に鑑みてなされたものであって、２フレーム目以降のフレームでショートプリアンブルとロングプリアンブルの選択が可能なバースト通信においてプリアンブルタイプを適切に選ぶことのできる無線通信装置を提供することを目的とする。
【課題を解決するための手段】
【０００８】
上述した課題を解決し、目的を達成するために、本発明は、バースト通信においてフレームの送受信を行う無線通信装置であって、受信した第１フレームの受信信号レベル、及び周波数オフセット推定値の少なくとも一方を含む受信パラメータを算出するとともに、受信した第１フレーム以降のフレーム毎の前記受信パラメータを算出する送受信部と、前記フレームを受信するたびに、受信した前記フレームの前記受信パラメータと、前記第１フレームで算出した前記受信パラメータとの差分が所定の許容値内であるかを判定し、前記許容値内である場合には、受信した前記フレームに対してショートプリアンブルを用いる判定結果を出力し、前記許容値を超えている場合には、受信した前記フレームに対してロングプリアンブルを用いる判定結果を出力する判定部と、受信動作時には、送信側の前記無線通信装置に対して前記判定結果を通知し、送信動作時には、受信側の無線通信装置から通知された前記判定結果で指定されたプリアンブルタイプに従い、前記フレームの送信を行うように制御する制御部と、を備えること特徴とする。
【発明の効果】
【０００９】
本発明によれば、バースト通信においてプリアンブルタイプを適切に選ぶことができるという効果を奏する。
【図面の簡単な説明】
【００１０】
【図１】図１は、実施形態の無線通信装置の利用態様を示す図である。
【図２】図２は、実施形態においてバースト通信する際に使用する各フレームのフォーマットを示す図である。
【図３】図３は、実施形態においてバースト通信する際の通信方法を、総フレーム数が３フレームの場合について説明する図である。
【図４】図４は、実施形態の無線通信装置の機能構成を示すブロック図である。
【図５】図５は、実施形態のプリアンブルタイプ判定部における判定処理を説明する図である。
【図６】図６は、実施形態のバースト通信の送信側におけるプリアンブルタイプ制御に関する処理の流れを示すフロー図である。
【図７】図７は、実施形態のバースト通信の受信側でプリアンブルタイプの判定を行う処理の流れを示すフロー図である。
【図８】図８は、実施形態のフレームの受信パラメータを算出する処理の流れを説明するフロー図である。
【図９】図９は、実施形態のフレームの受信パラメータを算出する処理の流れを説明するフロー図である。
【発明を実施するための形態】
【００１１】
以下に添付図面を参照して、無線通信装置の実施の形態を詳細に説明する。
【００１２】
（第１の実施の形態）
図１は、通信処理装置の利用例を示す概念図である。本実施形態では、通信処理装置は無線通信装置Ａ、及び無線通信装置Ｂとしてそれぞれ実現されている。この無線通信システム１００は無線通信装置Ａと、その通信相手となる無線通信装置Ｂによって構成される。そしてこれらの無線通信装置の間でバースト通信することが可能となっている。
【００１３】
以下では、無線通信方式としてマルチバンドＯＦＤＭ方式を取り上げ、その中のバースト通信に本発明を適用した場合について説明する。無線通信システム１００における無線通信装置Ａ、及びＢがバースト通信する際に使用する各フレームのフォーマットについて図２を用いて説明する。
【００１４】
図２に示されるように、フレームは、既知のトレーニング用信号であるプリアンブル、通信を行うために必要な情報を含むヘッダー、実際に送りたいデータを含むペイロードの順に構成される。そしてマルチバンドＯＦＤＭ（Orthogonal  Frequency  Division  Multiplexing）方式では、プリアンブルについては、ロングプリアンブルの場合とショートプリアンブルの場合の２つのタイプがあり、どちらかを選択して使用する。ロングプリアンブルはパケットごとに同じ量の情報を送るタイプである。一方、ショートプリアンブルはプリアンブルを短く処理するため、安定性が下がるが通信速度が向上するタイプである。
【００１５】
また、ヘッダーには、そのフレームに続く次のフレームとのフレーム間隔が短い、つまり連続送受信する通信方法であるバーストモードを示すための情報であるＢＭビットと、そのフレームの後のフレームのプリアンブルのタイプを示す為の情報であるＰＴビットと、が含まれている。フレームが次のフレームとの間隔が短い場合、ＢＭ＝１、そうでない場合ＢＭ＝０、ショートプリアンブルタイプの場合ＰＴ＝１、ロングプリアンブルタイプの場合ＰＴ＝０とするように規定されている。
【００１６】
図３は、無線通信システム１００においてバースト通信する際の２通りの通信方法を、総フレーム数が３フレームの場合について説明する。マルチバンドＯＦＤＭ方式のバーストモードにおける規定では、最終フレーム以外はその後に続くフレームとのフレーム間隔が短いためＢＭ＝１とし、最終フレームではＢＭ＝０とする。また、プリアンブルタイプについては、第１フレームでは必ずロングプリアンブルを使用するが、第２フレーム以降ではロングプリアンブルかショートプリアンブルのどちらを使用するかは規定されておらず、自由に設定することが可能である。例えば、２フレーム目以降でショートプリアンブルタイプを使用する場合はＰＴ＝１、ロングプリアンブルタイプを使用する場合はＰＴ＝０とすることができる。ただし、最終フレームでは必ずＰＴ＝０でロングプリアンプルタイプと規定されている。そして、バースト通信中の各フレーム間隔は短く、ＭＩＦＳ＝１．８７５ｕｓと規定されている。
【００１７】
通常、無線通信装置の受信側の処理については規格による規定はないが、プリアンブルの設定はＡＧＣ（Automatic  Gain  Control）や周波数オフセット推定などの処理の際に使用される。しかし、ショートプリアンブルの場合、ロングプリアンブルの場合と同様にこれらの処理をすることは難しく、ショートプリアンブルを使用する２フレーム目以降では、ＡＧＣや周波数オフセット推定処理を省略し、１フレーム目で算出した受信信号レベルや周波数オフセット推定値を使用することとなる。
【００１８】
図４は、無線通信装置Ａ、Ｂの機能構成を示すブロック図である。図４に示されるように、無線通信装置Ａ、Ｂは、アンテナ１、送受信部２、受信パラメータ記憶部３、プリアンブルタイプ判定部４、制御部５を含む。
【００１９】
データの送信時には、送受信部２は、制御部５からのデジタルデータに対し、誤り訂正符号化、圧縮符号化、及びデジタル変調を含むデジタル信号処理を行った後、プリアンブルを付加する。この時、プリアンブルはロングプリアンブルかショートプリアンブルのうち制御部５により指定されたものが使用される。そして、送受信部２は、さらにデジタル信号からアナログ信号への変換、ベースバンド信号からＲＦ信号への周波数変換が行われる。その後、この信号はアンテナ１から電波として送信される。なお、ＢＭビットがＢＭ＝１のフレームの場合は、短いフレーム間隔で送信するように制御部５が送受信部２を制御する。
【００２０】
受信時には、送信側のアンテナ１から送信された電波は、受信側のアンテナ１から電波として受信される。その後、送受信部２は受信した信号に対して、ＲＦ信号からベースバンド信号への周波数変換や、余分な周波数成分の除去の他に、アナログ信号からデジタル信号への変換の処理を行う。そして、さらに送受信部２は、ロングプリアンブルのフレームの場合はそのプリアンブルを使用してＡＧＣ（Automatic  Gain  Control）、周波数オフセット推定、及びタイミング検出処理などを行う。そして、送受信部２は、その後、周波数オフセット補正やヘッダーおよびペイロードに対する復調、復号化、及び誤り訂正を含むデジタル信号処理を行い、制御部５へデジタルデータを渡す。
【００２１】
一方、送受信部２は、ショートプリアンブルのフレームの場合は、ロングプリアンブルのフレームで算出した受信信号レベル、及び周波数オフセット推定値等の受信パラメータを使用して同期処理を行い、その後の処理についてはロングプリアンブルのフレームの場合と同様となる。なお、受信側の無線通信装置Ａ、Ｂではこれから受信しようとするフレームのプリアンブルのタイプについては、前フレームのＰＴの値を含むデジタルデータを渡された制御部５から送受信部２に伝えられることにより、予め知ることができる。
【００２２】
そのため、送受信部２は前フレームのＰＴビットの値に基づいて、新たにＡＧＣ、周波数オフセット推定を行うか否かを決定している。つまり、ロングプリアンブルのフレームが送信されるとなった場合はそのロングプリアンブルを使用したＡＧＣ、及び周波数オフセット推定を新たに行うこととしていた。また、送受信部２はショートプリアンブルのフレームが送信されるとなった場合はそのフレームより前に受信したロングプリアンブルのフレームで算出した受信信号レベルおよび周波数オフセット推定値を使用することとする。ここで、ＡＧＣを行う際に算出する受信信号レベル、又は周波数オフセット推定で算出する周波数オフセット推定値が本実施形態では受信パラメータに相当する。受信パラメータの算出方法は後述する。
【００２３】
受信パラメータ記憶部３は、送受信部２において算出したロングプリアンブルを用いた第１フレームの受信パラメータを記憶する。プリアンブルタイプ判定部４は、受信したロングプリアンブルのフレームで算出した受信パラメータと、受信パラメータ記憶部３に記憶された第１フレームの受信パラメータとを比較することで受信パラメータの変動を計算する。そして、プリアンブルタイプ判定部４は、変動の値が許容値内であればショートプリアンブルを使用するフレームと判定し、許容値を超えていればロングプリアンブルを使用するフレームと判定する。そして、プリアンブルタイプ判定部４は、判定したプリアンブルタイプを示す情報をフレーム番号とともに判定結果として制御部５に伝える。フレーム番号とは、当該フレームが、連続フレームのうち何番目に位置するかを示す番号である。このようにすることで、フレームとプリアンブルタイプとの対応関係が誤ることを防ぐことができるようになる。
【００２４】
そして、制御部５ではロングプリアンブルを用いて連続送信されたこれらのフレームに対する判定結果をデジタルデータとするＢＭ＝０、ＰＴ＝０のフレームを、送受信部２を制御して送信する。
【００２５】
制御部５は、送信時における所定のフレームフォーマットの生成や複数フレーム連続送信時のフレーム間隔の制御や受信時におけるプリアンブルタイプに基づく送受信部２の制御など、通信を行うため上記各部に対して所定の制御を行う。また、制御部５は、連続送信する際の各フレームに対するフレームフォーマット生成時のＰＴビットについては、通信相手の無線通信装置から送られてきた判定結果に基づいて、ＰＴ＝０、又はＰＴ＝1を設定する。そして、制御部５は、前フレームのＰＴビットがＰＴ＝１の場合はショートプリアンブルを使用するよう送受信部２に指示する。一方、制御部５は、その他の場合については、ロングプリアンブルを使用するように送受信部２に指示する。なお、ＢＭビット、及び最終フレームでのＰＴビットの設定については、図３で説明した方法に従う。また、制御部５としては、通信プロトコル層以上のアプリケーション層までも包括するものとする。
【００２６】
図５は、プリアンブルタイプ判定部４における判定処理について説明するための図である。この場合、ロングプリアンブルを用いる３フレームをバースト通信する場合を例として説明する。
【００２７】
図示されるように、プリアンブルタイプ判定部４は、受信パラメータ記憶部３に記憶された第１フレームの受信パラメータを基準値とする。本実施形態にあっては、基準値に対して±ｘの範囲が許容値の範囲である。
【００２８】
続いて、プリアンブルタイプ判定部４は、第２フレームに対して受信パラメータを算出し、受信パラメータの基準値との差分を計算する。第２フレームの差分は許容値内であるため、プリアンブルタイプ判定部４は、ショートプリアンブルを使用するフレームとして第２フレームを判定する。
【００２９】
同様に、プリアンブルタイプ判定部４は、第３フレームに対して受信パラメータを算出し、受信パラメータの基準値との差分を計算する。第３フレームの差分は許容値を超えているため、プリアンブルタイプ判定部４は、ロングプリアンブルを使用するフレームとして第３フレームを判定する。これにより、フレームに対する判定結果として（フレーム番号，プリアンブルタイプ）＝（２，１），（３，０）のような情報が決まる。ここで、プリアンブルタイプはショートプリアンブルの場合は”１”、ロングプリアンブルの場合は”０”を示す。なお、受信パラメータに対する許容値は制御部５によって任意に設定でき、制御部５よりプリアンブルタイプ判定部４にその情報が伝えられるものとする。
【００３０】
図６は、バースト通信の送信側におけるプリアンブルタイプ制御に関する処理の流れを示すフロー図である。本実施形態では、無線通信装置Ａが送信側、無線通信装置Ｂが受信側の場合を説明する。図６に示されるように、まず無線通信装置Ａの制御部５、及び送受信部２は、アンテナ１を通じて、図３で示した場合と同様のロングプリアンブルを用いた連続フレームをバースト通信として無線通信装置Ｂへと送信する（ステップＳ１０１）。
【００３１】
次いで、無線通信装置Ａの送受信部２、及び制御部５は、受信側である無線通信装置Ｂから返信されたフレーム毎のプリアンブルタイプ情報を示す判定結果を、アンテナ１を通じて受信する（ステップＳ１０２）。受信したフレーム毎のプリアンブルタイプ情報を示す判定結果は制御部５に伝わり、無線通信装置Ａの制御部５、及び送受信部２は、判定結果に基づいてフレーム毎に適切なプリアンブルを用いてバースト通信でフレームを連続送信する（ステップＳ１０３）。すなわち、ショートプリアンブルと無線通信装置Ｂにて判定されたフレームは、無線通信装置Ａは、ショートプリアンブルで送信する。一方、ロングプリアンブルと無線通信装置Ｂにて判定されたフレームは、無線通信装置Ａは、ロングプリアンブルで送信する。
【００３２】
図７は、バースト通信の受信側である無線通信装置Ｂにおけるプリアンブルタイプの判定を行う処理の流れを示すフロー図である。図７に示されるように、送受信部２は、無線通信装置Ａから送信されるロングプリアンブルを用いたバースト通信のフレームを、アンテナ１を通じて受信し、制御部５へと渡す（ステップＳ２０１）。
【００３３】
フレームの受信に際して、送受信部２は、受信信号レベルまたは周波数オフセット推定値を受信パラメータとして算出する（ステップＳ２０２）。送受信部２は、受信したフレームが第１フレームであるか否かを判定する（ステップＳ２０３）。ＢＭビットが初めて１を検出した場合に、第１フレームの受信をしたと判断される。
【００３４】
第１フレームであると判定された場合（ステップＳ２０３：Ｙｅｓ）、送受信部２は、算出した受信パラメータを受信パラメータ記憶部３に記憶させる（ステップＳ２０５）。そして、ステップＳ２０１へと戻り、次のフレームに対する処理を再開する。
【００３５】
一方、第１フレームでないと判定された場合（ステップＳ２０３：Ｎｏ）、プリアンブルタイプ判定部４は、送受信部２によって算出した受信パラメータと、受信パラメータ記憶部３に格納した第１フレームに対する受信パラメータとの差分から、受信パラメータの変動を計算する（ステップＳ２０４）。
【００３６】
プリアンブルタイプ判定部４は、受信パラメータの変動が許容値ｘ内であるか否かを判定する（ステップＳ２０６）。受信パラメータの変動が許容値ｘ内であると判定された場合（ステップＳ２０６：Ｙｅｓ）、プリアンブルタイプ判定部４は、当該フレームはショートプリアンブルが適切と判定する（ステップＳ２０７）。
【００３７】
一方、受信パラメータの変動が許容値ｘ内でないと判定された場合（ステップＳ２０６：Ｎｏ）、プリアンブルタイプ判定部４は、当該フレームはロングプリアンブルが適切と判定する（ステップＳ２０８）。
【００３８】
プリアンブルタイプ判定部４は、適切と判定したプリアンブルタイプ情報とフレーム番号を制御部５に通知し、判定結果を保持させる（ステップＳ２０９）。そして、プリアンブルタイプ判定部４は、バースト通信の最終フレームを受信したか否かを判定する（ステップＳ２１０）。バースト通信の最終フレームを受信したと判定された場合（ステップＳ２１０：Ｙｅｓ）、受信側の無線通信装置Ｂの送受信部２は、制御部５に通知されたフレーム毎の判定結果を示すフレームをアンテナ１を通して送信側の無線通信装置Ａへと送信する（ステップＳ２１１）。ここで、最終フレームか否かの判定は、制御部５に保持されたフレームの受信結果の中のＢＭビットがＢＭ＝０であるかどうかにより行う。すなわち、ＢＭ＝０の場合は、次のフレームとの間に時間があるため、後続するフレームは、バースト通信による連続的なフレーム送信でないとなり、当該フレームがバースト通信の最終フレームに該当するからである。
【００３９】
次いで、受信側の無線通信装置Ｂの送受信部２は、送信側の無線通信装置Ａからフレーム毎に適切なプリアンブルを用いてバースト通信で連続送信されたフレームを受信する（ステップＳ２１２）。
【００４０】
一方、バースト通信の最終フレームを受信していないと判定した場合（ステップＳ２１０：Ｎｏ）、ステップＳ２０１に戻り、以降のフレームの受信を最終フレームまで同様に繰り返す。
【００４１】
続いて、図８は、フレームの受信パラメータを算出する処理の流れを説明するフロー図である。図８は、受信パラメータとして、ＡＧＣを行う際に算出する受信信号レベルを用いる場合の算出方法である。図８に示されるように、まず無線通信装置Ｂの送受信部２は、ロングプリアンブルのフレームを受信する（ステップＳ１１）。以降の処理は、受信側の無線通信装置Ｂがロングプリアンブルのフレームを受信した場合にのみ行われ、ショートプリアンブルのフレームを受信した場合には行われない。
【００４２】
続いて、送受信部２は、これまで受信したロングプリアンブルのフレームの平均パワーを計算する（ステップＳ１２）。例えば、ロングプリアンブルの各フレームの実部の値をｘ(ｉ)、虚部の値をｙ(ｉ)とし、ロングプリアンブル内のフレーム総数をｎとすると、ｊ番目のロングプリアンブルに対する平均パワーＰｊを以下のように算出できる。
【００４３】
【数１】
2014179960.tif 000003
【００４４】
続いて、送受信部２は、ＡＧＣを終了するか否かを判定する（ステップＳ１３）。ＡＧＣを終了しないと判定された場合（ステップＳ１３：Ｎｏ）、送受信部２は、算出したロングプリアンブルの平均パワーを受信パラメータ記憶部３に格納し(ステップＳ１５)、ステップＳ１１の処理に戻り同様に繰り返す。
【００４５】
ＡＧＣを終了する場合（ステップＳ１３：Ｙｅｓ）、送受信部２は、算出したロングプリアンブルの平均パワーと、受信パラメータ記憶部３に格納されたロングプリアンブルの平均パワーとの平均を受信フレームの受信パワー（受信パラメータ）として算出する（ステップＳ１４）。受信フレームの受信パワーＰは以下の様に算出できる。ここでｍはＡＧＣの計算を行うプリアンブルシンボル数を表す。
【００４６】
【数２】
2014179960.tif 000004
【００４７】
以上のように算出された受信パワーＰが、バースト通信により送信されたフレームごとの受信パワーとして無線通信装置Ａに返信される。
【００４８】
次に、図９は、周波数オフセット推定値を受信パラメータとして用いる場合の算出の処理フローである。送受信部２は、まずロングプリアンブルを受信する（ステップＳ２１）。次いで、送受信部２は、所定のシンボル分だけ後のロングプリアンブルシンボルを受信したか否かを判定する（ステップＳ２２）。所定のシンボル分だけ後のロングプリアンブルシンボルを受信したと判定された場合（ステップＳ２２：Ｙｅｓ）、送受信部２は、それらのロングプリアンブル間の位相回転量より周波数オフセット推定値を算出する（ステップＳ２３）。ここで所定のシンボルは、同じ周波数バンドを使用するロングプリアンブルシンボル間で位相回転量を求めるように選定する。
【００４９】
一方、所定のシンボル分だけ後のロングプリアンブルシンボルを受信していないと判定された場合（ステップＳ２２：Ｎｏ）、ステップＳ２１に戻り同様の処理を繰り返す。
【００５０】
以上に示した本実施形態の無線通信装置にあっては、受信した２つ目以降のフレームに対して、個別に受信パラメータの変動が許容値以内か否かを判定し、個別にロングプリアンブルを用いるか、ショートプリアンブルを用いるかを決定することができる。したがって、従来のように仮に一つでも許容値を超えていると全てのフレームにロングプリアンブルを一括して用いるのではなく、フレーム個別に適切なプリアンブルタイプを選択することができるようになる。
【００５１】
なお、本実施の形態の無線通信装置で実行されるプログラムは、ＲＯＭ等に予め組み込まれて提供される。本実施の形態の無線通信装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５２】
さらに、本実施の形態の無線通信装置で実行されるプログラムを、インターネット等のネットワークに接続されたコンピュータ上に格納し、ネットワーク経由でダウンロードさせることにより提供するように構成しても良い。また、本実施の形態の無線通信装置で実行されるプログラムをインターネット等のネットワーク経由で提供または配布するように構成しても良い。
【００５３】
本実施の形態の無線通信装置で実行されるプログラムは、上述した各部を含むモジュール構成となっており、実際のハードウェアとしてはＣＰＵ（プロセッサ）が上記ＲＯＭからプログラムを読み出して実行することにより上記各部が主記憶装置上にロードされ、各部が主記憶装置上に生成されるようになっている。
【符号の説明】
【００５４】
Ａ，Ｂ  無線通信装置
１  アンテナ
２  送受信部
３  受信パラメータ記憶部
４  プリアンブルタイプ判定部
５  制御部
【先行技術文献】
【特許文献】
【００５５】
【特許文献１】特開２０１０−２６８１２４号公報
【図１】
2014179960.tif 000005
【図２】
2014179960.tif 000006
【図３】
2014179960.tif 000007
【図４】
2014179960.tif 000008
【図５】
2014179960.tif 000009
【図６】
2014179960.tif 000010
【図７】
2014179960.tif 000011
【図８】
2014179960.tif 000012
【図９】
2014179960.tif 000013